(57)【要約】      （修正有）【課題】軽量、且つコンパクトでネジ類を一切使う事なく組み立て、分解が容易に出来、核となる部材をモジュール化する事でさまざまなサイズ、かたちに変化出来るデイスプレイ用具を提供する。【解決手段】資源の活用という観点から、従来であれば廃棄、消却されていた木質素材からセルロース分を抽出し、その分子にバインダー材を混ぜ合わせて成形する素材に着眼し、上面に突起部を持たせてスタッキング出来る形状のブロックを長さ２００ミリ、幅８０ミリ、高さ５０ミリ程のサイズで成形し、ブロックを組み合わせる事により、必要なサイズがえられ、且つ、ブロック上面に設けられた凸部に嵌合する貫通穴を左右に設けた棚板を載せるだけで、  簡単、迅速に組み立て、分解が出来、多様に変化できる軽量で自在な組み立て式デイスプレイ用具が可能となる。【選択図】図１１
0003150406.tif 000002
【実用新案登録請求の範囲】
【請求項１】
棚板とそれを固定する為の部材の組み合わせによる陳列棚において、前記棚板の左右両端付近に貫通穴を設け、部材の一部には前記棚板の貫通穴に内接する凸状の形状を持つ事を特徴とするデイスプレイ用具。
【請求項２】
前記部材１は植物など天然素材から抽出されるセルロース成分とバインダーと呼ばれるプラスチックを原料とする新素材で作られる事を特徴とする請求項１に記載のデイスプレイ用具。
【請求項３】
前記棚板１は５ミリ〜２０ミリ程の厚さを持つアクリル樹脂板、木材、アルミその他金属等を素材とした事を特徴とした請求項１乃至請求項２のいずれか１項に記載のデイスプレイ用具。
【請求項４】
前記アクリル板の後端にＬＥＤの光源を具備し、前方向の端面をエッジライトで光らせる機構を備える事を特徴とする請求項１乃至請求項３のいずれか１項に記載のデイスプレイ用具。
【請求項５】
前記棚板を２０〜２５ミリ厚の木材を使用し、部材との組み合わせでスツールとしての機能を持たせる事を特徴とする請求項１乃至請求項４のいずれか１項に記載のデイスプレイ用具。
【考案の詳細な説明】
【技術分野】
【０００１】本考案は主に店舗に於いて商品を展示、個人に於いては小物など整頓の為のデイスプレイ用具に関する。
【背景技術】
【０００２】従来の商品を展示する為の展示台の多くはそれをかたち作る為に多くの部品を必要とした。又購入者が自分で組み立てる物は部品点数が多く、それに伴い重量も重くなり購入者がそれを組み立てるには相当な労力と時間を要する欠点があった。（特許文献１）
【特許文献１】特開２００２−１６５６８１号広報
【考案の開示】
【考案が解決しようとする課題】
【０００３】軽量、且つコンパクトでネジ類を一切使う事なく組み立て、分解が容易に出来、核となる部材をモジュール化する事でさまざまなサイズ、かたちに変化出来るデイスプレイ用具を提供するものである。
【課題を解決する為の手段】
【０００４】本考案は上記目的を達成する為に天面の一部に凸状の形態を有する核となる部材１を天然素材から抽出したセルロース分にバインダーとなる、例えばポリプロピレンを３０％ほど加え、射出整形する。その時同一のものをスタッキングできる構造とする事で必要な高さを得る事が出来るようになる。２、３段重ねた部材を一対用意し、部材１の天面に設けられた突起部１ａに内接する貫通穴を左右に有する棚板２を置く事で棚板２はしっかりと固定され、且つ左右の脚となる部材１も安定する事となり、必要に応じて棚板２の上面より上に突き出ている部材１に形成されている突起部１ａに重ねるようにする事で部材２の棚板は挟み込まれるかたちとなりずれる事もなく、よりしっかりと固定される事となる。
【０００５】部材１は棚板に置く商品にもよるが強度、安定性を考慮すると奥行き２１０ミリ、幅７０ミリ、高さ５０ミリ程が望ましい。又棚板２はその素材を厚さ５〜７ミリ程の透明アクリル板を使用する事が組み立てた時の軽快感をを生み出すが、他にもアルミ板や木材等も考えられ、その素材を問うものではない。更に透明アクリル板を棚板として使用した時にはプラスチックで成形しＬＥＤを数個組み込み光源とする部材１０をプラスチックのバネ性を利用して簡単に挟み込む事でエッジライト効果によりアクリル前面のみが光る効果が得られる事となる。上記のような構成を採る事により、軽量、且つ強靭、各部材を固定する為のネジ類を一切使う事なく、簡単、迅速に組み立て、分解が出来るデイスプレイ用具が作れる事となる。
【考案の効果】
【０００６】本考案の一実施形態に係る本考案のデイスプレイ用具によれば、ネジ類を一切使用せず短時間、小労力で組み立て、分解が出来る展示台を提供することができる。具体的には、以下に示す通りである。
【０００７】部材１に形成される突起部１ａに合わせて左右の両端に突起部１ａと内接する貫通穴を有する棚板１を置くだけでしっかりと固定される効果がある。
【０００８】また、必要に応じて部材１の突起部１ａを利用して重ね合わせることにより任意の高さに棚板１をセット出来る効果がある。
【０００９】また、部材２のような形状にする事により、多様な組み合わせが出来る効果がある。
【００１０】また、図２３に示すよう棚板６の向きを変える事により、前面、背面両方が使える効果がある
【００１１】また、アクリル製棚板を使った時、背面に光源を置く事でエッジライト効果により、幻想的な雰囲気を演出できる効果がある。
【考案を実施する為の最良の形態】
【００１２】図１は本考案デイスプレイ用具を組み立てた斜視図である。図２に示すよう上面の一部に高さにおいて２０〜２５ミリ程の突起部１ａで形成される部材１を請求項２記載の素材で成形し、両端に突起部１ａと内接する貫通穴を持つ棚板１を載せるだけでネジ類を使用することなくしっかりと固定される事となり、又、分解も容易にできる形態となる。又図７に示すよう部材１がスタッキングできる構造を採ることで図１１に示すよう部材１を任意の数だけ重ねた高さに前記同様棚板１を載せ、その上から部材１を組み付けることでより堅牢な構造となるものである。こうして組み上がった時の寸法は、棚板１に展示するものにもよるが、強度面、安定性を考慮すると部材１はその外形において、長さ２１０ミリ、幅７５ミリ、高さ５０ミリ、又棚板１の外形においては長さ４５０〜５００ミリ、奥行き２１０から２５０ミリ、厚さ５〜８ミリ程が好適である。
【００１３】以下に実施例を示す事で本考案の詳細を説明するが、デイスプレイ用具の各部を構成する材料は、各種の材料を使用する事ができ、構成、形状も設計変更ができる。本考案は多くの異なる態様で実施することが可能であり、以下に示す実施例の記載内容に限定して解釈されるものではない。
【実施例】
【００１４】図２は本考案における部材１の斜視図である。その素材を請求項２に示すよう木質セルロース素材とバインダー材、例えばポリプロピレンで作られたペレットで図２に示すよう上面の一部に突起部１ａで形成されるブロックを射出成形する。それを一対用意し、上から突起部１ａに内接する貫通穴処理された棚板１を載せるだけでネジ類を一切使用することなく簡単、且つ確実に組み付け、分解ができる。【００１５】図９は本考案の一実施形態を表した図である。部材１の断面形状を図７に示すよう内側にリブを設けることでスタッキングできる構造となり、図９に示すよう任意の高さで２段、３段と棚板１を足してゆく事が可能となる。棚板１の素材はアクリル樹脂板や木材、金属等を使用してもよい。【００１６】図１２は本考案において棚板２、棚板３の長さ方向のサイズを変えた一実施形態を示す図である。目的に応じた棚板の長さや、棚板３のように直線と曲線の組み合わせによる棚板を用意できる。【００１７】また、図１３は棚板４を素材として厚さ２０〜２５ミリほどの木材を使用することで簡易スツールとして使用できる一実施例である。【００１８】図１４は前記部材１を部材２、部材３として形状を変えた一実施例を示すものである。【００１９】図２２は前記部材２と棚板５、棚板６を使った一実施例の分解斜視図である。【００２０】図２４は前記記載の組み立てた一実施例を示すものである。図のような構成を採ることで最下段の棚板は手前側に、上団の棚板は奥側となり展示する商品が棚板で遮られることはない。【００２１】図２５は棚板２を透明アクリル樹脂板を素材とした時、請求項４に示す光源を背面に附設した一実施例であり、アクリル板の特性を利用し、エッジライト効果を狙うものである。
【産業上の利用可能性】
【００２２】本考案における部材１、部材２、部材３はその素材を通常なら廃棄、消却される天然素材をその原材料とし、セルロース分を抽出した後、分子をつなぎ止めるためのバインダーとして数１０％のプラスチック樹脂と混ぜ合わせて成形する為、材料費は極めて低く抑えられ、且つ資源の有効利用という面からも極めて時代にマッッチしたものである。上記のような構成を採るため子供から女性まで容易に組み立て、分解が出来、その組み合わせにより多様な使い方が出来、安価で提供できるものである。
【図面の簡単な説明】
【図１】  本考案デイスプレイ用具の組み立て斜視図である。
【図２】  本考案部材１の斜視図である。
【図３】  本考案部材１の上面図である。
【図４】  本考案部材１の正面図である。
【図５】  本考案部材１の右側面図である。
【図６】  本考案部材１の底面図である。
【図７】  本考案部材１を重ねた時の断面図である。
【図８】  本考案デイスプレイ用具組み立て時の上面図である。
【図９】  本考案デイスプレイ用具組み立て時の正面図である。
【図１０】  本考案デイスプレイ用具組み立て時の左側面図である。
【図１１】  本考案デイスプレイ用具の組み付け分解斜視図である。
【図１２】  本考案デイスプレイ用具の一実施例を示す斜視図である。
【図１３】  本考案デイスプレイ用具の一実施例を示す斜視図である。
【図１４】  本考案部材２、部材３の一実施例を示す斜視図である。
【図１５】  本考案の一実施例である部材２の正面図である。
【図１６】  本考案の一実施例である部材２の上面図である。
【図１７】  本考案の一実施例である部材２の右側面図である。
【図１８】  本考案の一実施例である部材２の底面図である。
【図１９】  本考案の一実施例である部材２の背面図である。
【図２０】  本考案の一実施例である部材３の上面図である。
【図２１】  本考案の一実施例である部材３の正面図である。
【図２２】  本考案デイスプレイ用具の一実施例である部材２を使った時の組み付け分解斜視図である。
【図２３】  本考案デイスプレイ用具の部材２を使った一実施例を示す組み立て斜視図である。
【図２４】  本考案デイスプレイ用具の部材３を使った一実施例を示す組み立て斜視図である。
【図２５】  本考案デイスプレイ用具における請求項４に示す光源を附設した状態の斜視図である。
【符号の説明】
１・・・部材１
１−ａ・・突起部
２・・・棚板１
３・・・棚板２
４・・・棚板３
５・・・棚板４
６・・・部材２
７・・・部材３
８・・・棚板５
９・・・棚板６
１０・・照明具
【図１】
0003150406.tif 000003
【図２】
0003150406.tif 000004
【図３】
0003150406.tif 000005
【図４】
0003150406.tif 000006
【図５】
0003150406.tif 000007
【図６】
0003150406.tif 000008
【図７】
0003150406.tif 000009
【図８】
0003150406.tif 000010
【図９】
0003150406.tif 000011
【図１０】
0003150406.tif 000012
【図１１】
0003150406.tif 000013
【図１２】
0003150406.tif 000014
【図１３】
0003150406.tif 000015
【図１４】
0003150406.tif 000016
【図１５】
0003150406.tif 000017
【図１６】
0003150406.tif 000018
【図１７】
0003150406.tif 000019
【図１８】
0003150406.tif 000020
【図１９】
0003150406.tif 000021
【図２０】
0003150406.tif 000022
【図２１】
0003150406.tif 000023
【図２２】
0003150406.tif 000024
【図２３】
0003150406.tif 000025
【図２４】
0003150406.tif 000026
【図２５】
0003150406.tif 000027
【手続補正書】
【提出日】平成21年2月9日(2009.2.9)
【手続補正１】
【補正対象書類名】実用新案登録請求の範囲
【補正対象項目名】全文
【補正方法】変更
【補正の内容】
【実用新案登録請求の範囲】
【請求項１】
棚板とそれを固定する為の部材の組み合わせによる陳列棚において、前記棚板の左右両端付近に貫通穴を設け、部材の一部には前記棚板の貫通穴に内接する凸状の形状を持つ事を特徴とするデイスプレイ用具。
【請求項２】
前記部材１は植物など天然素材から抽出されるセルロース成分とバインダーと呼ばれるプラスチックを原料とする新素材で作られる事を特徴とする請求項１に記載のデイスプレイ用具。
【請求項３】
前記棚板１は５ミリから２０ミリ程の厚さを持つアクリル板、木材、アルミその他金属等を素材とした事を特徴とした請求項１乃至請求項２のいずれか１項に記載のデイスプレイ用具。
【請求項４】
前記棚板１の素材をアクリル板とし、前記アクリル板の後端にＬＥＤの光源を具備し、前方向の端面をエッジライト（登録商標）で光らせる機構を備える事を特徴とする請求項１乃至請求項３のいずれか１項に記載のデイスプレイ用具。
【請求項５】
前記棚板を２０〜２５ミリ厚の木材を使用し、部材１との組み合わせでスツールとしての機能を持たせる事を特徴とする請求項１乃至請求項４のいずれか１項に記載のデイスプレイ用具。
【手続補正２】
【補正対象書類名】明細書
【補正対象項目名】全文
【補正方法】変更
【補正の内容】
【考案の詳細な説明】
【技術分野】
【０００１】本考案は主に店舗に於いて商品を展示、個人に於いては小物など整頓の為のデイスプレイ用具に関する。
【背景技術】
【０００２】従来の商品を展示する為の展示台の多くはそれをかたち作る為に多くの部品を必要とした。又購入者が自分で組み立てる物は部品点数が多く、それに伴い重量も重くなり購入者がそれを組み立てるには相当な労力と時間を要する欠点があった。（特許文献１）
【特許文献１】特開２００２−１６５６８１号広報
【考案の開示】
【考案が解決しようとする課題】
【０００３】軽量、且つコンパクトでネジ類を一切使う事なく組み立て、分解が容易に出来、核となる部材をモジュ−ル化する事でさまざまなサイズ、かたちに変化出来るデイスプレイ用具を提供するものである。
【課題を解決する為の手段】
【０００４】本考案は上記目的を達成する為に天面の一部に凸状の形態を有する核となる部材１を天然素材から抽出したセルロース分にバインダーとなる、例えばポリプロピレンを３０％ほど加え、射出整形する。その時同一のものをスタッキングできる構造とする事で必要な高さを得る事が出来るようになる。２、３段重ねた部材を一対用意し、部材１の天面に設けられた突起部１ａに内接する貫通穴を左右に有する棚板２を置く事で棚板２はしっかりと固定され、且つ左右の脚となる部材１も安定する事となり、必要に応じて棚板２の上面より上に突き出ている部材１に形成されている突起部１ａに重ねるようにする事で部材２の棚板は挟み込まれるかたちとなりずれる事もなく、よりしっかりと固定される事となる。
【０００５】部材１は棚板に置く商品にもよるが強度、安定性を考慮すると奥行き２１０ミリ、幅７０ミリ、高さ５０ミリ程が望ましい。又棚板２はその素材を厚さ５〜７ミリ程の透明アクリル板を使用する事が組み立てた時の軽快感をを生み出すが、他にもアルミ板や木材等も考えられ、その素材を問うものではない。更に透明アクリル板を棚板として使用した時にはプラスチックで成形しＬＥＤを数個組み込み光源とする部材１０をプラスチックのバネ性を利用して簡単に挟み込む事でエッジライト（登録商標）効果によりアクリル板端面のみが光る効果が得られる事となる。上記のような構成を採る事により、軽量、且つ強靭、格部材を固定する為のネジ類を一切使う事なく、簡単、迅速に組み立て、分解が出来るデイスプレイ用具が作れる事となる。
【考案の効果】
【０００６】本考案の一実施形態に係る本考案のデイスプレイ用具によれば、ネジ類を一切使用せず短時間、小労力で組み立て、分解が出来る展示台を提供することができる。具体的には、以下に示す通りである。
【０００７】部材１に形成される突起部１ａに合わせて左右の両端に突起部１ａと内接する貫通穴を有する棚板１を置くだけでしっかりと固定される効果がある。
【０００８】また、必要に応じて部材１の突起部１ａを利用して重ね合わせることにより任意の高さに棚板１をセット出来る効果がある。
【０００９】また、部材２のような形状にする事により、多様な組み合わせが出来る効果がある。
【００１０】また、図２３に示すよう棚板６の向きを変える事により、前面、背面両方が使える効果がある
【００１１】また、アクリル製棚板を使った時、背面に光源を置く事でエッジライト（登録商標）効果により、幻想的な雰囲気を演出できる効果がある。
【考案を実施する為の最良の形態】
【００１２】図１は本考案デイスプレイ用具を組み立てた斜視図である。図２に示すよう上面の一部に高さにおいて２０〜２５ミリ程の突起部１ａで形成される部材１を請求項２記載の素材で成形し、両端に突起部１ａと内接する貫通穴を持つ棚板１を載せるだけでネジ類を使用することなくしっかりと固定される事となり、又、分解も容易にできる形態となる。又図７に示すよう部材１がスタッキングできる構造を採ることで図１１に示すよう部材１を任意の数だけ重ねた高さに前記同様棚板１を載せ、その上から部材１を組み付けることでより堅牢な構造となるものである。こうして組み上がった時の寸法は、棚板１に展示するものにもよるが、強度面、安定性を考慮すると部材１はその外形において、長さ２１０ミリ、幅７５ミリ、高さ５０ミリ、又棚板１の外形においては長さ４５０〜５００ミリ、奥行き２１０から２５０ミリ、厚さ５〜８ミリ程が好適である。
【００１３】以下に実施例を示す事で本考案の詳細を説明するが、デイスプレイ用具の各部を構成する材料は、各種の材料を使用する事ができ、構成、形状も設計変更ができる。本考案は多くの異なる態様で実施することが可能であり、以下に示す実施例の記載内容に限定して解釈されるものではない。
【実施例】
【００１４】図２は本考案における部材１の斜視図である。その素材を請求項２に示すよう木質セルロース素材とバインダー材、例えばポリプロピレンで作られたペレットで図２に示すよう上面の一部に突起部１ａで形成されるブロックを射出成形する。それを一対用意し、上から突起部１ａに内接する貫通穴処理された棚板１を載せるだけでネジ類を一切使用することなく簡単、且つ確実に組み付け、分解ができる。【００１５】図９は本考案の一実施形態を表した図である。部材１の断面形状を図７に示すよう内側にリブを設けることでスタッキングできる構造となり、図９に示すよう任意の高さで２段、３段と棚板１を足してゆく事が可能となる。棚板１の素材はアクリル樹脂板や木材、金属等を使用してもよい。【００１６】図１２は本考案において棚板２、棚板３の長さ方向のサイズを変えた一実施形態を示す図である。目的に応じた棚板の長さや、棚板３のように直線と曲線の組み合わせによる棚板を用意できる。【００１７】また、図１３は棚板４を素材として厚さ２０〜２５ミリほどの木材を使用することで簡易スツールとして使用できる一実施例である。【００１８】図１４は前記部材１を部材２、部材３として形状を変えた一実施例を示すものである。【００１９】図２２は前記部材２と棚板５、棚板６を使った一実施例の分解斜視図である。【００２０】図２４は前記記載の組み立てた一実施例を示すものである。図のような構成を採ることで最下段の棚板は手前側に、上団の棚板は奥側となり展示する商品が棚板で遮られることはない。【００２１】図２５は棚板２を透明アクリル樹脂板を素材とした時、請求項４に示す光源を背面に附設した一実施例であり、アクリル板の特性を利用し、エッジライト（登録商標）効果を狙うものである。
【産業上の利用可能性】
【００２２】本考案における部材１、部材２、部材３はその素材を通常なら廃棄、消却される天然素材をその原材料とし、セルロース分を抽出した後、分子をつなぎ止めるためのバインダーとして数１０％のプラスチック樹脂と混ぜ合わせて成形する為、材料費は極めて低く抑えられ、且つ資源の有効利用という面からも極めて時代にマッッチしたものである。上記のような構成を採るため子供から女性まで容易に組み立て、分解が出来、その組み合わせにより多様な使い方が出来、安価で提供できるものである。
【図面の簡単な説明】
【００２３】
【図１】本考案デイスプレイ用具の組み立て斜視図である。
【図２】本考案部材１の斜視図である。
【図３】本考案部材１の上面図である。
【図４】本考案部材１の正面図である。
【図５】本考案部材１の右側面図である。
【図６】本考案部材１の底面図である。
【図７】本考案部材１を重ねた時の断面図である。
【図８】本考案デイスプレイ用具組み立て時の上面図である。
【図９】本考案デイスプレイ用具組み立て時の正面図である。
【図１０】本考案デイスプレイ用具組み立て時の左側面図である。
【図１１】本考案デイスプレイ用具の組み付け分解斜視図である。
【図１２】本考案デイスプレイ用具の一実施例を示す斜視図である。
【図１３】本考案デイスプレイ用具の一実施例を示す斜視図である。
【図１４】本考案部材２、部材３の一実施例を示す斜視図である。
【図１５】本考案の一実施例である部材２の正面図である。
【図１６】本考案の一実施例である部材２の上面図である。
【図１７】本考案の一実施例である部材２の右側面図である。
【図１８】本考案の一実施例である部材２の底面図である。
【図１９】本考案の一実施例である部材２の背面図である。
【図２０】本考案の一実施例である部材３の上面図である。
【図２１】本考案の一実施例である部材３の正面図である。
【図２２】本考案デイスプレイ用具の一実施例である部材２を使った時の組み付け分解斜視図である。
【図２３】本考案デイスプレイ用具の部材２を使った一実施例を示す組み立て斜視図である。
【図２４】本考案デイスプレイ用具の部材３を使った一実施例を示す組み立て斜視図である。
【図２５】本考案デイスプレイ用具における請求項４に示す光源を附設した状態の斜視図である。
【符号の説明】
【００２４】１・・・部材１
１−ａ・・突起部
２・・・棚板１
３・・・棚板２
４・・・棚板３
５・・・棚板４
６・・・部材２
７・・・部材３
８・・・棚板５
９・・・棚板６
１０・・照明具